(57)【要約】【課題】車両用入力装置へ入力操作するにあたり、安定したタッチ入力を可能にする。【解決手段】車両用入力装置１４は、タッチパネル４０（タッチ入力部）および支持部３０を備える。タッチパネル４０は、車両のインストルメントパネルに設けられ、指先接触による入力が可能なものである。支持部３０は、タッチパネル４０に対して車両後方側に配置され、車両の運転席または助手席に着座している乗員の手首が置かれるものである。そして、支持部３０に手首を置いた状態のまま、支持部３０に置かれた手の指先でタッチパネル４０への入力が可能となる位置に、支持部３０が配置されている。【選択図】図２
2015202703.tif 000002
【特許請求の範囲】
【請求項１】
車両のインストルメントパネル（１１）に設けられ、操作者の指先接触による入力が可能なタッチ入力部（４０）と、
前記タッチ入力部への指先接触に際して前記操作者の手首または掌を支持することが可能となるように前記タッチ入力部との位置関係が設定された支持部（３０）と、を備えることを特徴とする車両用入力装置。
【請求項２】
前記支持部を振動させる振動アクチュエータ（３１）と、
前記タッチ入力部への入力内容に応じて前記振動アクチュエータを駆動させる振動制御手段（７０）と、
を備えることを特徴とする請求項１に記載の車両用入力装置。
【請求項３】
前記支持部のうち手首または掌が支持される部分には支持面（３０ａ）が形成されており、この支持面の、水平面に対する仰角を支持面仰角（θ１）とし、前記タッチ入力部の接触入力面（４０ａ）の、水平面に対する仰角を入力面仰角（θ２）とした場合において、
前記支持面仰角が前記入力面仰角よりも小さくなるように、前記支持部は配置されていることを特徴とする請求項１または２に記載の車両用入力装置。
【発明の詳細な説明】
【技術分野】
【０００１】
本発明は、車両のインストルメントパネルに設けられ、指先接触による入力が可能なタッチ入力部を備える、車両用入力装置に関する。
【背景技術】
【０００２】
一般的な車両のインストルメントパネル（以下、インパネと呼ぶ）には、ナビゲーション装置や空調装置等の設定を入力する入力装置が取り付けられている。そして近年では、この種の入力装置にタッチパネル（タッチ入力部）を採用した車両が増加傾向にある（特許文献１参照）。
【０００３】
タッチパネルによれば、接触入力面に指先を軽く触れるだけで入力が可能になり、押込式のスイッチとは操作性が大きく異なる。しかも、タッチパネルの場合にはフリック操作やタップ操作等、多様なタッチ入力が可能になる。なお、フリック操作とは、接触入力面に指先を置き、手首を支点にして指の腹で接触入力面を弾く操作である。タップ操作とは、接触入力面を指先で軽く叩く操作である。
【先行技術文献】
【特許文献】
【０００４】
【特許文献１】特開２０１３−９６７３６号公報
【発明の概要】
【発明が解決しようとする課題】
【０００５】
さて、携帯端末として用いられているタッチパネルとは異なり、インパネに設けられたタッチパネルの場合には以下の問題が生じる。すなわち、運転席または助手席に着座した状態で腕を伸ばしてタッチパネルを操作することとなるが、伸ばした腕の一部を何処にも支持させることができない状態での操作になることがある。しかも、車両の振動を受けながらの操作であるため、タッチパネルの所望の位置に指先を正確に置くことは困難であり、安定したタッチ入力が難しい。
【０００６】
本発明は、上記問題を鑑みてなされたもので、その目的は、安定したタッチ入力が可能な車両用入力装置を提供することにある。
【課題を解決するための手段】
【０００７】
ここに開示される発明は上記目的を達成するために以下の技術的手段を採用する。なお、特許請求の範囲およびこの項に記載した括弧内の符号は、後述する実施形態に記載の具体的手段との対応関係を示すものであって、発明の技術的範囲を限定するものではない。
【０００８】
開示される発明のひとつは、
車両のインストルメントパネル（１１）に設けられ、操作者の指先接触による入力が可能なタッチ入力部（４０）と、
タッチ入力部への指先接触に際して操作者の手首または掌を支持することが可能となるようにタッチ入力部との位置関係が設定された支持部と、を備えることを特徴とする。
【０００９】
この発明によれば、操作者は手首または掌を支持部に支持した状態でタッチ部への指先接触による入力が可能であるため、安定したタッチ入力が可能になる。
【図面の簡単な説明】
【００１０】
【図１】本発明の一実施形態に係る車両用入力装置が、車両のインパネに搭載された状態を示す正面図。
【図２】図１に示す車両用入力装置の斜視図。
【図３】図１に示す車両用入力装置の側面図。
【図４】図１に示す車両用入力装置の断面図。
【図５】図１に示す支持部に手首を支持させながら、タッチパネルを操作している状態を示す斜視図。
【図６】図１に示す支持部に手首を支持させながら、回転体を回転操作している状態を示す斜視図。
【図７】図１に示す車両用入力装置において、回転体をタッチした時の表示例を示す図。
【図８】図７の状態から回転体を上側へ回転操作した時の表示例を示す図。
【図９】図８の状態から右側へスライド操作した時の表示例を示す図。
【図１０】図８の状態から右側へフリック操作した時の表示例を示す図。
【図１１】図７の実施形態に対する変形例を示す図。
【図１２】図１１の実施形態に対する変形例を示す図。
【発明を実施するための形態】
【００１１】
以下、本発明にかかる車両用入力装置（以下、入力装置と呼ぶ）の一実施形態について、図面を参照しつつ説明する。
【００１２】
図１に示すように、車両の室内のうち運転席および助手席の前方には、インパネ１１が設置されている。インパネ１１は、ステアリングホイール１２に対して車両前方、かつ、フロントウインドシールド１３の下方に位置する。インパネ１１のうち車両左右方向の中央部分１１ａには、以下に詳述する入力装置１４が取り付けられている。
【００１３】
図２に示すように、入力装置１４は、保持部材２０、支持部３０、タッチパネル４０（タッチ入力部）、第１押ボタン５１、５２、５３、回転体６０、第２押ボタン７１、７２、７３、７４を備える。これら支持部３０、タッチパネル４０および第１押ボタン５１〜５３、回転体６０および第２押ボタン７１〜７４は、保持部材２０に保持されている。
【００１４】
保持部材２０は、樹脂製であり、以下に説明するベース部２１、保持部２２、パネル保持部２３および凹部２４を、一体に樹脂成形して構成されている。保持部材２０は、インパネ１１に形成された開口部１１ｂに組み付けられている。ベース部２１は、保持部２２の下方に隣接し、インパネ１１の表面に沿って湾曲しながら上下方向に延びる板状である。
【００１５】
保持部２２は、支持部３０および第１押ボタン５１〜５３を保持する。支持部３０は、運転席に着座している乗員が、着座した状態のまま手を伸ばすと届く位置に配置されている。図１の例では右ハンドル車両であるため、左手を伸ばして届く位置に支持部３０は配置されている。支持部３０の表面は、伸ばした左手の手首を支持するための支持面３０ａとして機能する。支持面３０ａは平坦形状であり、水平面Ｌに対する支持面３０ａの仰角を支持面仰角θ１と呼ぶ（図３参照）。図３の例では、支持面仰角θ１が４５度未満に設定されている。支持部３０は、図４の符号３０ｂに示す高さ分だけ、板状のベース部２１の表面から隆起した形状である。なお、図４および図３中の上下前後を示す矢印は、入力装置１４を車両に搭載した状態における上下方向と車両前後方向の向きを示す。
【００１６】
第１押ボタン５１〜５３は、保持部２２のうち支持面３０ａの上方部分に配置されている。第１押ボタン５１〜５３の表面は支持面３０ａと同一平面上に位置する。第１押ボタン５１〜５３は、図示しないスプリングの弾性力に抗して運転者の指先で押し下げられる機械式のボタンである。複数（図３の例では３つ）の第１押ボタン５１〜５３は、車両左右方向に並べて配置されている。第１押ボタン５１〜５３を押動操作することにより、各々の第１押ボタン５１〜５３に割り当てられたコマンドの実行と実行停止が指令される。
【００１７】
具体的には、第１押ボタン５１〜５３の各々には、タッチパネル４０の表示内容を切り替えるためのコマンドが設定されている。
【００１８】
すなわち、一つの第１押ボタン５１には空調装置に関連するコマンドが割り当てられている。この第１押ボタン５１をオン操作すると、空調装置に関連する情報がタッチパネル４０に表示されるとともに、タッチパネル４０には、空調装置の設定を入力するためのアイコン画像Ｇ１、Ｇ２、Ｇ３、Ｇ４（図２および図７参照）が表示される。アイコン画像Ｇ１〜Ｇ４へのタッチ操作に応じて、助手席側の設定温度、空調風の吹出口、空調風の送風量、運転席側の設定温度等の設定が入力される。
【００１９】
別の第１押ボタン５２にはオーディオ装置に関連するコマンドが割り当てられている。この第１押ボタン５２をオン操作すると、オーディオ装置に関連する情報がタッチパネル４０に表示されるとともに、タッチパネル４０には、オーディオ装置の設定を入力するためのアイコン画像Ｇ５、Ｇ６、Ｇ７、Ｇ８（図１０参照）が表示される。アイコン画像Ｇ５〜Ｇ８へのタッチ操作に応じて、音量や音源等の設定が入力される。
【００２０】
別の第１押ボタン５３には車両の運転状態に関連するコマンドが割り当てられている。この第１押ボタン５３をオン操作すると、例えば内燃機関や走行用モータ等の走行駆動源の運転状態に関連する情報がタッチパネル４０に表示されるとともに、タッチパネル４０には、走行駆動源の設定を入力するためのアイコン画像が表示される。
【００２１】
保持部２２は、支持部３０を振動させる振動アクチュエータ３１（図４および図７参照）を保持する。振動アクチュエータ３１の具体例としては、通電により振動する圧電素子や振動モータが挙げられる。振動アクチュエータ３１により支持部３０を振動させることで、支持部３０に置かれた操作者の手に振動を付与させることができる。
【００２２】
パネル保持部２３は、保持部２２の上方に配置され、タッチパネル４０および第２押ボタン７１〜７４を保持する。タッチパネル４０は、運転席に着座している乗員が、着座した状態のまま手を伸ばすと届く位置に配置されている。また、支持部３０に手首を置いた状態のまま、支持部３０に置かれた手の指先でタッチ操作が可能となる位置に、タッチパネル４０および支持部３０は配置されている。タッチパネル４０は、液晶表示器の手前側に透明電極を有して構成されており、透明電極は、操作者の指先の接触位置を検出する。したがって、タッチパネル４０は、液晶表示器による表示機能および透明電極によるタッチ入力機能を有する。
【００２３】
タッチパネル４０の表面は、接触入力面４０ａとして機能する。タッチパネル４０の表面は、接触入力面４０ａとして機能する。接触入力面４０ａは平坦形状であり、水平面Ｌに対する接触入力面４０ａの仰角を入力面仰角θ２と呼ぶ（図３参照）。図３の例では、入力面仰角θ２が４５度以上に設定されている。そして、支持面仰角θ１が入力面仰角θ２よりも小さくなるように支持部３０は配置されている。
【００２４】
接触入力面４０ａに対する指先でのタッチ操作には、先述したフリック操作、スライド操作およびタップ操作の他にも、ピンチ操作等の種々のタッチ操作が挙げられる。なお、ピンチ操作とは、接触入力面４０ａ上を指でつまむようにして画面を拡大縮小させる操作である。図２の表示状態では、４つのアイコン画像Ｇ１、Ｇ２、Ｇ３、Ｇ４と、ナビゲーション装置による地図情報画像Ｇｍが表示されている。例えば、地図情報画像Ｇｍ上でピンチ操作を実施すると、地図情報画像Ｇｍが拡大縮小表示される。また、アイコン画像Ｇ１〜Ｇ４上でタップ操作すると、アイコン画像Ｇ１〜Ｇ４の各々に割り当てられたコマンドが実行される。
【００２５】
第２押ボタン７１〜７４は、パネル保持部２３のうちタッチパネル４０の左右両側に配置されている。第２押ボタン７１〜７４の表面は接触入力面４０ａと同一平面上に位置する。第２押ボタン７１〜７４は、第１押ボタン５１〜５３と同様の機械式ボタンであり、第２押ボタン７１〜７４を押動操作することにより、各々の第２押ボタン７１〜７４に割り当てられたコマンドの実行と実行停止が指令される。第２押ボタン７１〜７４については、タッチパネル４０とは異なり、支持部３０に手首を置いた状態のまま操作可能となるようには設定されていない。
【００２６】
図４に示すように、凹部２４は、保持部２２とパネル保持部２３の間に配置されており、保持部２２およびパネル保持部２３と隣接して繋がっている。凹部２４は、支持面３０ａよりも下方に凹む形状であり、回転体６０を回転操作する指先の操作スペース２４ａを内部に形成している。凹部２４は、開口部２４ｂを有する袋形状である。開口部２４ｂの下側部分は支持面３０ａに位置し、開口部２４ｂの上側部分は接触入力面４０ａに位置する。
【００２７】
回転体６０は、回転可能な状態で凹部２４に保持されており、乗員の指先により回転操作される。回転体６０の回転中心線（仮想軸Ｋ）が延びる向きは車両左右方向（水平方向）である。回転体６０は、仮想軸Ｋ方向に延びる円柱形状である。回転体６０の仮想軸Ｋ方向の長さは、回転体６０の直径よりも長い。回転体６０は、凹部２４のうち車両後方側に位置する壁面２４ｃ（図４参照）に対向して配置されている。回転体６０は開口部２４ｂの下方に位置し、回転体６０の全体が操作スペース２４ａに位置する。
【００２８】
図５および図６は、運転席に着座した乗員が、ステアリングホイール１２を右手で持ったまま左手を伸ばして入力装置１４を操作している状態を示す。図５は、左手の手首を支持部３０の支持面３０ａに置き、その置いた手の人差し指の指先でタッチパネル４０をタッチ操作している状態を示す。図６は、左手の手首を支持部３０の支持面３０ａに置き、その置いた手の中指の指先で回転体６０を回転操作している状態を示す。図６に示す例では、回転体６０を回転操作する中指と、それ以外の指（人差指および薬指）を、操作スペース２４ａに入れた状態で回転操作している。このように、手首を支持部３０に置いて支持させた状態で、タッチ操作および回転操作が可能となる位置に、タッチパネル４０、回転体６０および支持部３０は配置されている。
【００２９】
図７に示すように、凹部２４には、回転体６０の回転量を検出する回転センサ６２が取り付けられている。回転センサ６２には、例えば光センサを用いたロータリエンコーダを採用すればよい。さらに凹部２４には、回転体６０を回転操作する指先にクリック感を付与するクリック機構６３が取り付けられている。クリック機構６３は、回転体６０の回転に抗する力を、所定の回転量だけ回転する毎に間欠的に付与するものである。
【００３０】
回転体６０の外周面は、指先を接触させながら、仮想軸Ｋが延びる方向へスライドさせるスライド操作が可能なスライド操作面６０ａを提供する。スライド操作する指先のスライド位置は、位置センサ６１により検出される。位置センサ６１は、回転体６０の内部に取り付けられた電極を有し、スライド操作している指先と電極との間における静電容量の変化に応じた検出信号を出力する。例えば、スライド操作面６０ａの任意の位置に指先を接触させると、その任意の位置に対応する電極から出力される検出信号が変化する。これにより、指先を接触させている位置が検出される。
【００３１】
詳細には、電子制御ユニット（ＥＣＵ７０）が有するマイクロコンピュータ（マイコン）が、位置センサ６１から出力される検出信号に基づきスライド操作位置を演算する。さらに上記マイコンは、演算されたスライド操作位置の変化に基づき、タッチ操作の内容が、所定時間に以上同じ位置に指先を接触させる長押し操作、先述したフリック操作およびスライド操作のいずれであるかを判定する。また、フリック操作およびスライド操作であると判定された場合には、その操作方向が左右のいずれであるかを判定する。
【００３２】
さらにＥＣＵ７０には、回転センサ６２により検出された回転量の情報や、第１押ボタン５１〜５３、第２押ボタン７１〜７４およびタッチパネル４０に入力された操作内容の情報も入力される。
【００３３】
ＥＣＵ７０は、これらの情報に基づき、通信線７５を通じて他のＥＣＵへ指令信号を出力する。例えば、タッチパネル４０への入力操作により空調装置の設定温度が変更された場合、その旨の指令信号を、空調装置を制御する空調ＥＣＵへ出力する。その結果、変更後の設定温度に基づき空調装置の作動を空調ＥＣＵが制御することとなる。さらにＥＣＵ７０は、上述した各種の情報に基づき、タッチパネル４０の表示内容を制御するとともに振動アクチュエータ３１の作動を制御する。なお、タッチパネル４０への操作内容に応じて振動アクチュエータ３１を駆動させている時のＥＣＵ７０は「振動制御手段」に相当する。
【００３４】
図７〜図１０は、回転体６０に対する回転操作およびスライド操作に基づき、ＥＣＵ７０がタッチパネル４０の表示内容を制御する一例を示す。
【００３５】
図７に示す例では、第１押ボタン５１をオン操作したことに伴い、空調装置の設定に関するアイコン画像Ｇ１〜Ｇ４がタッチパネル４０に表示されている。この時、スライド操作面６０ａの左右方向における接触位置範囲を、複数のアイコン画像Ｇ１〜Ｇ４に対応する複数の範囲６０ａ１、６０ａ２、６０ａ３、６０ａ４（図８参照）に分割するよう、ＥＣＵ７０は設定する。そして、スライド操作面６０ａに指先を接触させると、その接触位置の領域に対応するアイコン画像が選択される。
【００３６】
図７の例では、スライド操作面６０ａの左端部分の範囲６０ａ１に指先を接触させているので、その範囲６０ａ１に対応するアイコン画像、つまり左右方向に並ぶ複数のアイコン画像Ｇ１〜Ｇ４のうち左端に位置するアイコン画像Ｇ１が選択されている。換言すると、ＥＣＵ７０は、位置センサ６１により検出された接触位置に対応するアイコン画像Ｇ１を強調表示させるように、タッチパネル４０の表示内容を制御する。
【００３７】
詳細には、スライド操作面６０ａの左端部分の範囲６０ａ１が所定時間以上継続して接触された場合に、アイコン画像Ｇ１が選択されたと判定する。そして、アイコン画像Ｇ１を強調表示させるとともに、振動アクチュエータ３１を所定時間（例えば０．５秒）だけ作動させる。そして、タッチパネル４０のうち選択されたアイコン画像Ｇ１の下方部分に、アイコン画像Ｇ１に関連する設定画像Ｇ１ａを表示させる。図７の例では、アイコン画像Ｇ１が助手席の設定温度を入力するアイコンであるため、現状の設定温度（２７℃）が設定画像Ｇ１ａとして表示されている。
【００３８】
なお、上述の如くスライド操作面６０ａの接触位置範囲を、複数のアイコン画像Ｇ１〜Ｇ４に対応する複数の範囲６０ａ１、６０ａ２、６０ａ３、６０ａ４に分割して設定することを実現させるため、回転体６０を十分に長く形成している。具体的には、左右方向に並ぶ複数のアイコン画像Ｇ１〜Ｇ４の左右両端に位置するアイコン画像Ｇ１、Ｇ４に対応する位置まで、回転体６０は左右方向に延びる形状である。これに伴い、凹部２４による操作スペース２４ａも左右方向に十分に長い形状に形成されている。具体的には、回転体６０の左右方向長さ以上となるように、操作スペース２４ａの左右方向長さは設定されている。
【００３９】
図８に示す例では、図７に示すタッチ選択操作の後に、回転体６０を手前側から奥側に向けて回転操作させている。これにより、設定画像Ｇ１ａとして表示されている設定温度が増大するように変更される。なお、回転体６０を奥側から手前側に向けて回転操作させた場合には、設定温度が低下するように変更される。クリック機構６３により１回のクリック感が付与される毎に、設定温度を所定温度ずつ設定変更させることが望ましい。
【００４０】
図９に示す例では、図７および図８での接触位置である左端部分の範囲６０ａ１から、その右隣の範囲６０ａ２に指先をスライド移動させている。その結果、その接触位置の範囲６０ａ２に対応するアイコン画像Ｇ２が選択される。詳細には、スライド操作面６０ａのうち符号６０ａ２に示す範囲が所定時間以上継続して接触された場合に、アイコン画像Ｇ２が選択されたと判定する。そして、アイコン画像Ｇ２を強調表示させるとともに、振動アクチュエータ３１を所定時間（例えば０．５秒）だけ作動させる。そして、タッチパネル４０のうち選択されたアイコン画像Ｇ２の下方部分に、アイコン画像Ｇ２に関連する設定画像Ｇ２ａを表示させる。図９の例では、アイコン画像Ｇ２が空調風の吹出口を選択するアイコンであるため、現状の吹出口（フェイス吹出口）が設定画像Ｇ２ａとして表示されている。このように、スライド操作面６０ａをスライド操作することで、選択されていたアイコンが変更される。
【００４１】
図１０に示す例では、図７および図８での接触位置である左端部分の範囲６０ａ１から、右方向にフリック操作している。その結果、オーディオ装置に関連するアイコン画像Ｇ５〜Ｇ８がタッチパネル４０に表示されている。これらのアイコン画像Ｇ５〜Ｇ８に対しても、空調装置に関連するアイコン画像Ｇ１〜Ｇ４と同様にして、スライド操作に応じて選択され、回転操作に応じて選択された項目の設定が変更される。
【００４２】
図７〜図１０では、回転体６０によるスライド操作および回転操作による表示内容の例を説明したが、これらのスライド操作および回転操作は、タッチパネル４０上におけるタッチ操作でも代用できる。例えば、所望のアイコン画像上でタッチパネル４０をタップ操作すると、そのアイコン画像が選択される。
【００４３】
ＥＣＵ７０は、回転体６０による操作内容に応じて振動アクチュエータ３１を作動させることに加え、タッチパネル４０による操作内容に応じても振動アクチュエータ３１を作動させる。例えば、所望のアイコン画像上でタッチパネル４０を長押しした場合に、振動アクチュエータ３１を作動させて、長押し操作を受け付けたことを操作者に知らせる。
【００４４】
以上により、本実施形態に係る入力装置１４は、タッチパネル４０に対して車両後方側に配置され、車両の運転席または助手席に着座している乗員の手首を支える支持部３０を備える。そして、支持部３０に手首を置いた状態のまま、支持部３０に支持された手の指先でタッチパネル４０への入力が可能となる位置に、支持部が配置されている。そのため、手首を支持部３０に支持させた状態で、タッチパネル４０へのタッチ入力ができるようになるので、安定したタッチ入力が可能になる。
【００４５】
さらに本実施形態では、支持部３０に手首を支持した状態のまま、指先で回転体６０を操作できる位置に、支持部３０が配置されている。これによれば、支持部３０に手首を置いて支持させた状態で、回転体６０に対する回転操作またはスライド操作が可能になる。よって、これらの回転体６０に対する操作を安定して行うことができる。
【００４６】
ここで、本実施形態に反して、タッチパネル４０へのタッチ操作に応じてタッチパネル４０を振動させる構造の場合、指先はタッチパネル４０に軽く触れた状態であるため、指先へ十分に振動を伝えるには限界がある。これに対し本実施形態では、支持部３０に手首を支持した状態でタッチパネル４０をタッチ操作できるように構成されている。そして、その支持部３０を振動させる振動アクチュエータ３１と、タッチパネル４０への入力内容に応じて振動アクチュエータ３１を駆動させるＥＣＵ７０と、を備える。そのため、支持部３０に支持されている手首に振動を伝えることとなるので、軽く触れる指先に振動を伝える上記構造と比較して、手首へ十分に振動を伝えることができる。よって、操作に応じて操作者に報知する機能を向上できる。
【００４７】
さらに本実施形態では、支持部３０のうち手首が置かれる支持面３０ａの仰角（支持面仰角θ１）が、タッチパネル４０の接触入力面４０ａの仰角（入力面仰角θ２）よりも小さくなるよう、支持部３０は配置されている。これによれば、支持面仰角θ１が小さいので、支持部３０に手首を支持した状態でタッチパネル４０をタッチ操作するにあたり、手首を反り返らせて曲げる量を小さくできる。よって、楽な姿勢で支持部３０に手首を支持した状態でタッチ操作するようにでき、操作性を向上できる。
【００４８】
さらに本実施形態では、回転操作される回転体６０、および回転体６０の外周面により構成されてスライド操作されるスライド操作面６０ａを備える。さらに、回転操作による回転量を検出する回転センサ６２、およびスライド操作位置を検出する位置センサ６１を備える。これによれば、水平方向については、スライド操作面６０ａに指先を軽く置き、その指先をスライドさせるスライド操作により良好な操作性を提供できる。一方、上下方向については、回転体６０の回転操作により入力を可能にすることで、上下方向へのスライド操作を不要にしている。したがって、上下方向への操作性が悪いといったタッチパネルの欠点を回転操作で補いつつ、スライド操作による軽快なタッチ入力が可能となる。
【００４９】
しかも本実施形態によれば、回転体６０の外周面によりスライド操作面６０ａが構成されるので、回転操作とスライド操作の切り替えをスムーズにできる。つまり、回転操作していた指をそのままスライド移動させるだけで、スライド操作による入力が可能になる。或いは、スライド操作させていた指をそのまま曲げ伸ばしするだけで、回転操作による入力が可能になる。
【００５０】
さらに本実施形態では、回転体６０を保持する保持部材２０が、回転操作時の指先の操作スペース２４ａを内部に形成する凹部２４を有する。これによれば、回転体６０を操作する手の指を、操作スペース２４ａに位置させた状態で回転操作できる。よって、回転操作する手の指が保持部材２０に干渉して回転操作しにくくなることを回避できる。
【００５１】
（他の実施形態）
以上、発明の好ましい実施形態について説明したが、発明は上述した実施形態に何ら制限されることなく、以下に例示するように種々変形して実施することが可能である。各実施形態で具体的に組合せが可能であることを明示している部分同士の組合せばかりではなく、特に組合せに支障が生じなければ、明示してなくとも実施形態同士を部分的に組み合せることも可能である。
【００５２】
図１１に示すように、タッチパネル４０の表示領域にカスタムゾーン４１を設定してもよい。カスタムゾーン４１とは、操作者が好みのアイコン画像を配置するように設定可能な表示領域である。カスタムゾーン４１の位置は、図１１に示すようにタッチパネル４０の表示領域の下方部分に設定してもよいし、図１２に示すように上方部分に設定してもよい。表示領域の下方部分は回転体６０の近傍に位置するので、その下方部分をタッチ操作する場合には、回転体６０を操作している指先を僅かに移動させるだけでよい。したがって、アイコン画像Ｇ１〜Ｇ４の操作性を、カスタムゾーン４１に配置されたアイコン画像の操作性よりも優先させる場合には、図１２に示すレイアウトが望ましい。一方、カスタムゾーン４１に配置されたアイコン画像の操作性を優先させる場合には、図１１に示すレイアウトが望ましい。
【００５３】
図４に示す実施形態では、支持部３０の支持面３０ａを平坦形状にしているが、湾曲した形状であってもよい。また、支持面３０ａの周囲に、操作者側（手前側）に隆起する隆起部を設け、支持面３０ａに置いた手首が隆起部に引っ掛かるようにして、手首が支持面３０ａからずれることの抑制を図ってもよい。
【００５４】
保持部材２０と支持部３０は、樹脂で一体に形成されていてもよいし、別体に形成されていてもよい。回転体６０は、図４に示す如く仮想軸Ｋ方向に延びる円柱形状であってもよいし、円筒形状であってもよい。スライド操作面６０ａは、図４に示す如く断面円形であってもよいし、断面多角形であってもよい。
【００５５】
クリック機構６３を廃止してクリック感を付与しないようにしてもよい。振動アクチュエータ３１を廃止して、支持部３０から手首に振動を付与させることを廃止してもよい。第１押ボタン５１〜５３、第２押ボタン７１〜７４および回転体６０の少なくとも一つを廃止してもよい。
【００５６】
また、支持部３０の支持面３０ａは手首を支持するようにタッチパネル４０との位置関係が設定されている。これに対し、掌のうち手首の近傍領域を支持するように、あるいはその近傍領域と手首の両者を支持するようにその位置関係が設定されていてもよいことは勿論である。
【符号の説明】
【００５７】
１４…車両用入力装置、１１…インストルメントパネル、４０…タッチパネル（タッチ入力部）、３０…支持部。
【図１】
2015202703.tif 000003
【図２】
2015202703.tif 000004
【図３】
2015202703.tif 000005
【図４】
2015202703.tif 000006
【図５】
2015202703.tif 000007
【図６】
2015202703.tif 000008
【図７】
2015202703.tif 000009
【図８】
2015202703.tif 000010
【図９】
2015202703.tif 000011
【図１０】
2015202703.tif 000012
【図１１】
2015202703.tif 000013
【図１２】
2015202703.tif 000014